(57)【特許請求の範囲】
【請求項１】
香りを放出する香源体を収容する収容部を備える端末装置を保持しながら前記端末装置に対する充電を行う充電装置であって、
前記収容部に対して前記香源体を補充する補充部を備え、
前記補充部は、前記端末装置が前記充電装置によって保持された状態で、前記収容部に対して対向する位置に配置されることを特徴とする充電装置。
【請求項２】
前記補充部は、前記充電装置に対して着脱可能であることを特徴とする請求項１に記載の充電装置。
【請求項３】
前記補充部は、内部に前記香源体を収容する容器部と前記容器部からの前記香源体の香りの拡散を防ぐように前記容器部の開口部をふさぐ蓋部とを備えており、
前記充電装置は、
前記端末装置が前記充電装置に保持されているか否かを検出する検出部と、
(i)前記端末装置が前記充電装置に保持されていると検出された場合に、前記蓋部を開状態にすると共に、(ii)前記端末装置が前記充電装置に保持されていないと検出された場合に、前記蓋部を閉状態にする蓋駆動部と
を備えることを特徴とする請求項１又は２に記載の充電装置。
【請求項４】
香りを放出する香源体を収容する収容部を備える端末装置と、
前記収容部に対して前記香源体を補充する補充部を備え、且つ前記端末装置を保持しながら前記端末装置に対する充電を行う充電装置と
を備え、
前記補充部は、前記端末装置が前記充電装置によって保持された状態で、前記収容部に対して対向する位置に配置されることを特徴とする端末セット。
【発明の詳細な説明】
【技術分野】
【０００１】
本発明は、例えば携帯電話等の端末装置を保持しながら当該端末装置に充電を行う充電装置、及び端末装置と充電装置とを備える端末セットの技術分野に関する。
【背景技術】
【０００２】
香水を吸着する小型の吸着チップが取り付けられた携帯電話等の端末装置が提案されている。これにより、携帯電話に対して、ユーザの嗜好する香りをつけることができる。つまり、吸着チップから香水が揮発することで、ユーザの嗜好する香りを携帯電話から発生させることができる。一方で、携帯電話ではなく、携帯電話の充電台の中に設置された香り発生装置から香りを発生される技術も提案されている。
【先行技術文献】
【特許文献】
【０００３】
【特許文献１】特開２００６−５４８３６号公報
【発明の概要】
【発明が解決しようとする課題】
【０００４】
携帯電話に取り付けられた吸着チップからは、香水が揮発することによって香りが発生する。従って、携帯電話からの香りの発生を維持するためには、吸着チップに対して定期的に香水を補充することが望ましい。このとき、香水の種類と携帯電話のケース（筐体）の材質又は塗料との組み合わせによっては、香水がケースに飛散することによって塗装剥がれや変色等を引き起こす可能性がある。従って、香水を補充する場合には、吸着チップを携帯電話から取り外した上で、当該吸着チップに香水を塗布した後に再度吸着チップを携帯電話に対して取り付けることが望ましい。しかしながら、吸着チップの取り外しから再度の取り付けに至るまでの作業は、ユーザにとって煩わしいものである。
【０００５】
本発明が解決しようとする課題には上記のようなものが一例として挙げられる。本発明は、例えば香水等の香源体の香りをつけることが可能な携帯電話等の端末装置に対して、意図せぬ箇所への香源体の飛散等を抑制しながら香源体を手間無く補充することが可能な端末装置の充電装置及び端末装置と保持装置とを備える端末セットを提供することを目的とする。
【課題を解決するための手段】
【０００６】
上記課題は、香りを放出する香源体を収容する収容部を備える端末装置を保持しながら端末装置に対する充電を行う充電装置によって解決される。尚、香源体は、香りを放出することができる任意の部材であってよく、例えば、液体状態の香水や、固体状態の芳香剤や、気体状態の香気ないしは揮発香水等が一例となる。充電装置は、収容部に対して香源体を補充する補充部を備える。
【０００７】
上記課題は、上記端末装置と上記充電装置とを備える端末セットによっても解決される。
【発明の効果】
【０００８】
以上説明した端末装置によれば、充電装置に対して端末装置をセットすれば、充電装置の補充部から端末装置の収容部に対して香源体が補充される。従って、ユーザは、収容部を携帯電話から取り外した上で、当該収容部に香源体を補充しなくともよくなる。このため、ユーザは、端末装置の収容部への香源体の補充に伴う煩わしい作業ないしは面倒な作業を行わなくともよくなる。更には、充電装置にセットされた端末装置は、そのまましばらく放置されることが多い。この間、端末装置と充電装置との間の位置関係（言い換えれば、収容部と補充部との間の位置関係）が大きく変わることはない。従って、香水を補充している間に端末装置と充電装置との間の位置関係が大きく変動することによって生じ得る、収容部以外の箇所への香水の漏れや飛び散り等の不都合を抑制することができる。従って、ユーザは、端末装置の収容部に対して、比較的容易に香源体を補充することができる。
【０００９】
以上説明した端末セットによれば、上述した充電装置と同様の効果を享受することができる。
【図面の簡単な説明】
【００１０】
【図１】本実施形態の携帯電話の外観を示す外観図である。
【図２】本実施形態の充電台の外観を示す外観図である。
【図３】携帯電話を充電台にセットする場合の態様を示す斜視図である。
【図４】充電台にセットされた携帯電話に対して香水が補充される態様を示す断面図である。
【図５】携帯電話が充電台にセットされている場合及び携帯電話が充電台にセットされていない場合の、変形例の充電台の断面を示す断面図である。
【発明を実施するための形態】
【００１１】
以下、本発明を実施するための最良の形態を、図面に基づいて説明する。尚、以下の説明では、端末装置の一例としての携帯電話を用いて説明を進める。但し、携帯電話に限らず、その他の各種端末装置（例えば、ＰＤＡや、ミニパソコンや、ノートパソコンや、デスクトップパソコン等）に後述する構成を採用してもよい。
【００１２】
（１）携帯電話の構成
図１を参照して、本実施形態の携帯電話１の構成について説明する。図１は、本実施形態の携帯電話１の外観を示す外観図である。尚、図１では、本実施形態の携帯電話１の説明に必要な構成を選択的に明示している。従って、本実施形態の携帯電話１は、携帯電話としての機能に必要な不図示の他の構成を適宜備えていてもよい。
【００１３】
図１（ａ）は、折り畳み式の携帯電話１の、折り畳まれた状態での表側の外観を示している。図１（ａ）に示すように、携帯電話１は、表側の面に、例えばサブ表示パネル１３を備えている。サブ表示パネル１３には、例えば現在の時刻や携帯電話１の充電状況や携帯電話１の電波の受信状態等が示される。
【００１４】
図１（ｂ）は、折り畳み式の携帯電話１の、折り畳まれた状態での裏側の外観を示している。図１（ｂ）に示すように、携帯電話１は、裏側の面に、例えばカメラ１４や充電を行うための金属製の充電端子１５等を備えている。図１（ｂ）に示すように、携帯電話１は、裏側の面（例えば、携帯電話１の裏側に配置されることが多い電池蓋１０）に、「収容部」の一例となる香水吸着部１１を備えている。香水吸着部１１は、電池蓋１０上に配置される吸着チップ１１ａと、当該吸着チップ１１ａを覆う（言い換えれば、保持する）カバー１１ｂとを備えている。吸着チップ１１ａは、例えば香水を内部に吸着することが可能な多孔質セラミック等を備えている。カバー１１ｂは、その表面に複数の孔があいている。吸着チップ１１ａは、カバー１１ｂの複数の孔を介して、内部に吸着した香水を外部に向けて揮発させるないしは放出する。これにより、携帯電話１に対してユーザの所望の香りをつけると共に、携帯電話１からユーザの所望の香りを発生させる（言い換えれば、漂わせる）ことができる。
【００１５】
図１（ｃ）は、折り畳み式の携帯電話１の折り畳まれていない状態での内側の外観を示している。図１（ｃ）に示すように、携帯電話１は、キーパッド１６、メイン表示パネル１７、受話口１８及び送話口１９を備えている。携帯電話１は、受話口１８の内側にスピーカ１８ａを備えている。携帯電話１は、送話口１９の内側にマイク１９ａを備えている。
【００１６】
（２）充電台の構成
図２を参照して、本実施形態の充電台２の構成について説明する。図２は、本実施形態の充電台２の外観を示す外観図及び断面を示す断面図である。尚、図２では、本実施形態の充電台２の説明に必要な構成を選択的に明示している。従って、本実施形態の充電台２は、充電台としての機能に必要な不図示の他の構成を適宜備えていてもよい。
【００１７】
図２（ａ）は、携帯電話１を搭載する側から見た充電台２の外観を示す。図２（ｂ）及び図２（ｃ）は、図２（ａ）に示す充電台２のＩＩ−ＩＩ’断面を示す。図２（ａ）に示すように、充電台２は、携帯電話１の充電端子１５に接触することで携帯電話１に対して電力を供給する金属製の充電端子２５を備えている。充電端子２５は、携帯電話１が充電台２にセットされた場合（図３（ｃ）参照）に、充電端子１５と対向する位置に配置される。
【００１８】
充電台２は、「補充部」の一例である香水補充部２１を備えている。香水補充部２１は、携帯電話１が備える香水吸着部１１に対して香水を補充する。言い換えれば、香水補充部２１は、香水吸着部１１が備える吸着チップ１１ａに対して香水を吸着させる。
【００１９】
図２（ｂ）及び図２（ｃ）に示すように、香水補充部２１は、充電台２中に形成された凹形状の穴２１ａと、穴２１ａに嵌め込まれると共に上面が開口部となっている香水ケース２１ｂと、香水ケース２１ｂの開口部を塞ぐことで香水ケース２１ｂの密閉性を維持するキャップ２１ｃと、香水ケース２１ｂ中に充填される香水２１ｄとを備えている。図２（ｂ）に示すように、香水補充部２１から香水吸着部１１に対して香水２１ｄを補充する場合には、香水２１ｄを内部に充填している香水ケース２１ｂは、充電台２の穴２１ａに嵌め込まれる。また、香水補充部２１から香水吸着部１１に対して香水２１ｄを補充する場合には、キャップ２１ｃは、香水ケース２１ｂから取り外される。一方で、香水補充部２１から香水吸着部１１に対して香水２１ｄを補充しない場合には、キャップ２１ｃは、香水ケース２１ｂの開口部を塞ぐように香水ケース２１ｂに取り付けられることが好ましい。但し、香水補充部２１から香水吸着部１１に対して香水２１ｄを補充しない場合にも、キャップ２１ｃが香水ケース２１ｂから取り外されていてもよい。
【００２０】
図２（ｃ）に示すように、香水ケース２１ｂは、穴２１ａから容易に取り外すことができることが好ましい。つまり、香水ケース２１ｂは、キャップ２１ｃ及び香水２１ｄと共に、充電台２から自由に着脱可能であることが好ましい。従って、ユーザは、夫々に異なる種類の香水２１ｄが充填された複数の香水ケース２１ｂを用意すると共に、複数の香水ケース２１ｂのうちの所望の香水ケース２１ｂを、充電台２の穴２１ａに対して嵌め込むことができる。但し、香水ケース２１ｂが穴２１ａに固定（言い換えれば、固着）されていてもよい。
【００２１】
（３）携帯電話の充電時の香水の補充態様
図３及び図４を参照して、携帯電話１を充電装置２にセットした場合の充電台２から携帯電話１への香水の補充の態様について説明する。図３は、携帯電話１を充電台２にセットする場合の態様を示す斜視図である。図４は、充電台２にセットされた携帯電話１に対して香水が補充される態様を示す断面図である。
【００２２】
図３（ａ）に示すように、本実施形態では、携帯電話１は、折り畳まれた状態で携帯電話１の裏側の面が充電台２に対向するように充電台２にセットされる。言い換えれば、携帯電話１は、折り畳まれた状態で携帯電話１の充電端子１５が充電台２の充電端子２５に対向し且つ携帯電話１の裏側の香水吸着部１１が充電台２の香水補充部２１に対向するように充電台２にセットされる。その結果、図３（ｂ）に示す状態を経た上で、図３（ｃ）に示すように、携帯電話１が充電台２にセットされる。
【００２３】
携帯電話１が充電台２にセットされた状態では、携帯電話１及び充電台２の位置関係は図４に示す位置関係となる。図４は、図３（ｃ）に示す携帯電話１及び充電台２のＩＩＩ−ＩＩＩ‘’断面図である。つまり、図４は、携帯電話１が充電台２にセットされた状態での携帯電話１及び充電台２の断面図である。
【００２４】
図４に示すように、携帯電話１が充電台２にセットされた状態では、携帯電話１の香水吸着部１１は、充電台２の香水補充部２１と対向するないしは対面していることが好ましい。言い換えれば、携帯電話１が充電台２にセットされた状態では、香水吸着部１１は、図４の上下方向に沿って、香水補充部２１と重複している好ましい。逆に、香水吸着部１１は、携帯電話１が充電台２にセットされた状態で香水補充部２１と対向するないしは対面するような位置に設置されていることが好ましい。同様に、香水補充部２１は、携帯電話１が充電台２にセットされた状態で香水吸着部１１と対向するないしは対面するような位置に設置されていることが好ましい。但し、携帯電話１が充電台２にセットされた状態で、香水吸着部１１は、香水補充部２１と対向していなくともよいし、対面していなくともよい。
【００２５】
携帯電話１が充電台２にセットされた状態で香水補充部２１から香水吸着部１１に対して香水２１ｄを補充する場合には、図４に示すように、キャップ２１ｃは、香水ケース２１ｂから取り外されている。その結果、図４中の矢印にて示すように、香水ケース２１ｂ内に充填されている香水２１ｄは、香水ケース２１ｂの外部に向かって揮発する。揮発した香水２１ｄは、カバー１１ｂの複数の孔を介して吸着チップ１１ａの内部に吸着される。これにより、香水補充部２１は、香水吸着部１１に対して香水２１ｄを補充することができる。
【００２６】
本実施形態では、香水２１ｄの揮発を利用して、香水補充部２１から香水吸着部１１に対して香水２１ｄを補充している。従って、携帯電話１が充電台２にセットされた状態で、香水補充部２１が香水吸着部１１と物理的に接触していなくともよい。もちろん、香水補充部２１が香水吸着部１１と物理的に接触していてもよい。
【００２７】
以上説明したように、本実施形態によれば、充電台２に対して携帯電話１がセットされれば、充電台２の香水補充部２１から携帯電話１の香水吸着部１１に対して香水２１ｄが補充される。従って、携帯電話１のユーザは、香水吸着部１１が備える吸着チップ１１ａを携帯電話１から取り外した上で、当該吸着チップ１１ａに香水２１ｄを塗布又は噴霧しなくともよくなる。更には、ユーザは、香水２１ｄを塗布又は噴霧した吸着チップ１１ａを再び携帯電話１に対して取り付けなくともよくなる。このため、ユーザは、香水吸着部１１への香水２１ｄの補充に伴う煩わしい作業ないしは面倒な作業を行わなくともよくなる。更には、充電台２にセットされた携帯電話１は、充電のためにそのまましばらく放置されることが多い。この間、携帯電話１と充電台２との間の位置関係（言い換えれば、香水吸着部１１と香水補充部２１との間の位置関係）が大きく変わることはない。従って、香水２１ｄを補充している間に携帯電話１と充電台２との間の位置関係が大きく変動することによって生じ得る、携帯電話１のうちの香水吸着部１１以外の箇所（例えば、携帯電話１の外装）への香水の漏れや飛び散り等の不都合を抑制することができる。従って、ユーザは、携帯電話１の香水吸着部１１に対して、比較的容易に香水を補充することができる。
【００２８】
本実施形態では、充電台２が香水補充部２１を備えている。このため、ユーザは、携帯電話１の充電のついでに、携帯電話１の香水吸着部１１に対して香水２１ｄを補充することができる。例えば、ユーザの就寝前に携帯電話１が充電台２にセットされれば、翌朝には携帯電話１の充電が完了していると共に香水吸着部１１への香水２１ｄの補充も完了している。従って、ユーザは、より一層手間をかけずに、香水吸着部１１に対して香水２１ｄを補充することができる。
【００２９】
尚、充電台２に限らず、携帯電話１を保持することが可能な任意の保持台等に対して上述した香水補充部２１を設置してもよい。このように構成しても、ユーザは、香水吸着部１１に対して比較的容易に香水２１ｄを補充することができるという効果を享受することができる。
【００３０】
本実施形態では、香水２１ｄの揮発を利用して、香水補充部２１から香水吸着部１１に対して香水２１ｄが補充される。従って、吸着チップ１１ａへの香水２１ｄの塗布や噴霧等に伴う香水２１ｄの飛散（例えば、携帯電話１のうちの香水吸着部１１以外の箇所への飛散）をなくすことができる。
【００３１】
本実施形態では、携帯電話１が充電台２にセットされた状態で、香水吸着部１１を香水補充部２１に対して対向させることができる。このため、香水補充部２１から揮発した香水２１ｄは、香水吸着部１１に到達しやすくなる。言い換えれば、香水補充部２１から揮発した香水２１ｄは、携帯電話１のうちの香水吸着部１１以外の箇所に到達しにくくなる。従って、例えば携帯電話１の香水耐力がない箇所に対して香水２１ｄが塗布又は噴霧（或いは、吸着）されることに伴う塗装の剥がれや変色等の不都合が好適に抑制される。
【００３２】
本実施形態では、香水ケース２１ｂは、キャップ２１ｃ及び香水２１ｄと共に、充電台２から自由に着脱可能である。このため、充電台２の穴２１ａに嵌め込まれる香水ケース２１ｂを取り換えることで、複数の香水２１ｄのうちのユーザの嗜好に合った香水２１ｄを吸着チップ１１ａに対して吸着させることができる。その結果、ユーザの気分に応じて、異なる香りを携帯電話１につけることができる。
【００３３】
本実施形態では、携帯電話１が充電台２にセットされない場合又は香水補充部２１から香水吸着部１１に対して香水２１ｄが補充されない場合には、キャップ２１ｃを用いて香水ケース２１ｂの開口部を塞ぐことができきる。このため、香水ケース２１ｂからの香水２１ｄの不必要な揮発を抑制することができる。従って、余計な香りの発生や意図せぬ揮発による香水２１ｄの欠乏等の不都合を抑制することができる。但し、携帯電話１が充電台２にセットされない場合又は香水補充部２１から香水吸着部１１に対して香水２１ｄが補充されない場合にも、キャップ２１ｃを香水ケース２１ｂから外しておいてもよい。これにより、香水吸着部１１に対して香水２１ｄが補充されない場合にも、充電台２から香水２１ｄの香りを放出することができる。つまり、ユーザは、充電台２を、芳香剤の如く使用することができる。
【００３４】
尚、本実施形態では、香水補充部２１から香水吸着部１１に対して香水２１ｄを補充する例を説明している。つまり、本実施形態では、香水補充部２１にされている液体状態の香水２１ｄを、香水吸着部１１に対して補充する例を説明している。しかしながら、液体状態の香水２１ｄに限らず、香りを放出する気体ないしは固体（つまり、香りを放出する任意の香源体）を香水ケース２１ｂに充填してもよい。このように構成しても、香水補充部２１から香水吸着部１１に対して香りを補充することができる。
【００３５】
また、上述した携帯電話１及び充電台２の形状は一例に過ぎず、携帯電話１及び充電台２の形状としてどのような形状を採用してもよい。携帯電話１及び充電台２の形状にかかわらず、携帯電話１を充電台２にセットした場合に、香水補充部２１から香水吸着部１１に対して香水２１ｄを補充される限りは、上述した各種効果を享受することができる。
【００３６】
（４）充電台の変形例
図５を参照して、変形例の充電台２ａの構成について説明する。図５は、携帯電話１が充電台２ａにセットされている場合及び携帯電話１が充電台２ａにセットされていない場合の、変形例の充電台２ａの断面を示す断面図である。尚、図２に示す充電台２と同一の構成については、同一の参照符号を付することで詳細な説明を省略する。
【００３７】
図５（ａ）に示すように、変形例の充電台２ａが備える香水補充部２１は、上述した充電台２と同様に、穴２１ａと、香水ケース２１ｂと、キャップ２１ｃと、香水２１ｄとを備えている。変形例の充電台２が備える香水補充部２１は更に、接触センサ２１ｅと、モータ２１ｆと、ガイドシャフト２１ｇと、継手２１ｈとを備えている。尚、接触センサ２１ｅ、モータ２１ｆ、ガイドシャフト２１ｇ及び継手２１ｈは、充電台２ａの筐体内部の空隙に設けられていてもよいし、充電台２ａの外部に露出するように設けられていてもよい。
【００３８】
接触センサ２１ｅは、携帯電話１が充電台２にセットされたか否かを検出するセンサである。接触センサ２１ｅのセンサ出力は、モータ２１ｆに対して出力される。ガイドシャフト２１ｇは、シャフト軸に沿った一方の端部がモータ２１ｆの回転軸に接続されている。ガイドシャフト２１ｇは、表面にねじ切りがされている。継手２１ｈは、ガイドシャフト２１ｇのねじと嵌合するようにねじ切りされた貫通孔を内部に備えており、当該貫通孔をガイドシャフト２１ｇのシャフト軸が貫通するようにガイドシャフト２１ｇに対して取り付けられる。継手２１ｈには更に、キャップ２１ｃの端部が接続される。
【００３９】
モータ２１ｆは、携帯電話１が充電台２にセットされていることを示すセンサ出力が接触センサ２１ｅから出力されている場合に、キャップ２１ｃが香水ケース２１ｂから取り外されるように、回転軸を回転させる。その結果、モータ２１ｆの回転軸の回転がガイドシャフト２１ｇを回転させ、当該ガイドシャフト２１ｇの回転が継手２１ｈを図５（ａ）中左側の方向へ移動させる。その結果、図５（ｂ）に示すように、継手２１ｈに接続されているキャップ２１ｃもまた、図５（ｂ）中左側へと移動する。これにより、キャップ２１ｃは、香水ケース２１ｂから取り外される。
【００４０】
一方で、モータ２１ｆは、携帯電話１が充電台２にセットされていることを示すセンサ出力が接触センサ２１ｅから出力されていない場合に、キャップ２１ｃが香水ケース２１ｂの開口部を塞ぐように、回転軸を回転させる。その結果、モータ２１ｆの回転軸の回転がガイドシャフト２１ｇを回転させ、当該ガイドシャフト２１ｇの回転が継手２１ｈを図５（ａ）中右側の方向へ移動させる。その結果、図５（ａ）に示すように、継手２１ｈに接続されているキャップ２１ｃもまた、図５（ａ）中右側へと移動する。これにより、キャップ２１ｃは、香水ケース２１ｂの開口部を塞ぐように香水ケース２１ｂに取り付けられる。
【００４１】
以上説明したように、変形例の充電台２ａによれば、上述した充電台２と同様の効果を享受することができる。加えて、変形例の充電台２ａによれば、携帯電話１が充電台２ａにセットされた場合には、自動的にキャップ２１ｃが香水ケース２１ｂから取り外される。このため、ユーザは、香水吸着部１１に対して香水２１ｄを補充する際に、キャップ２１ｃを自身で取り外さなくともよくなる。従って、ユーザは、香水吸着部１１に対してより一層手間をかけることなく香水２１ｄを補充することができるという効果を享受することができる。
【００４２】
尚、図５（ａ）及び図５（ｂ）に示したキャップ２１ｃを取り外す機構（つまり、モータ２１ｆ、ガイドシャフト２１ｇ及び継手２１ｈを採用した機構）は一例であり、図示した構成以外の機構を用いて、キャップ２１ｃを自動的に取り外してもよい。つまり、接触センサ２１ｅのセンサ出力に応じて、キャップ２１ｃを移動させる（或いは、香水ケース２１ｂの開口部の開閉を行う）ことができる任意の機構を採用してもよい。任意の機構として、機械的にキャップ２１ｃを移動させる機構や、電磁気的にキャップ２１ｃを移動させる機構等が一例としてあげられる。
【００４３】
本発明は、上述した実施形態に限られるものではなく、請求の範囲及び明細書全体から読み取れる発明の要旨或いは思想に反しない範囲で適宜変更可能であり、そのような変更を伴なう充電装置及び端末セットもまた本発明の技術的範囲に含まれるものである。
【符号の説明】
【００４４】
１  携帯電話
２  充電装置
１１  香水吸着部
１１ａ  吸着チップ
１１ｂ  カバー
２１  香水補充部
２１ａ  穴
２１ｂ  香水ケース
２１ｃ  キャップ
２１ｄ  香水
【図１】
0005593877.tif 000002
【図２】
0005593877.tif 000003
【図３】
0005593877.tif 000004
【図４】
0005593877.tif 000005
【図５】
0005593877.tif 000006